(57)【要約】【課題】従来の投射型表示装置においては本体の電源スイッチオフ後に、消灯したランプをファンで冷却する必要があるため、所定時間は電源が切れず、ユーザは光源冷却に対する安全確認のため、実際に電源が切れるまで待機せざるをえなかった。【解決手段】会議室に設置されている投射型表示装置の電源スイッチがオフされると（Ｓ３０１）、光源用電源をオフにして冷却を開始し（Ｓ３０２，Ｓ３０３）、所定時間の経過後に光源近傍の温度を検出し（Ｓ３０４，Ｓ３０５）、所定値以下であれば（Ｓ３０６）正常終了する旨のメッセージをユーザアドレスへ送信するが（Ｓ３０７）、そうでなければ、異常終了する旨のメッセージをユーザ及び該会議室の管理者へ送信する（Ｓ３１０）。【選択図】    図３
2005049464.tif 000002
【特許請求の範囲】
【請求項１】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記スイッチ手段による電源オフの指示に応じて前記光源用の電源をオフとする光源スイッチ手段と、
ネットワークを介して電子メールの送受信を行う通信手段と、
を有する投射型表示装置における光源冷却制御方法であって、
前記光源近傍の温度を検出する温度検出工程と、
前記経過時間及び検出温度に応じて、前記通信手段により所定のメッセージを所定の宛先へ送信する送信工程と、
を有することを特徴とする光源冷却制御方法。
【請求項２】
更に前記光源スイッチ手段による光源用の電源オフ後の経過時間を計測する時間計測工程を有し、
前記経過時間及び前記検出温度に応じて、前記通信手段により所定のメッセージを所定の宛先へ送信する送信工程とを有することを特徴とする請求項１に記載の光源冷却制御方法。
【請求項３】
前記送信工程においては、所定時間の経過後に、前記検出温度が所定値以下であれば前記冷却手段による前記光源の冷却が正常終了した旨を示す第１のメッセージを送信し、所定値以下でなければ前記光源の冷却が異常終了した旨を示す第２のメッセージを送信することを特徴とする請求項１記載の光源冷却制御方法。
【請求項４】
さらに、前記送信工程において前記第１のメッセージを送信した後に、前記冷却手段を停止し、前記投射型表示装置全体の電源をオフとする終了工程を有することを特徴とする請求項３記載の光源冷却制御方法。
【請求項５】
さらに、前記送信工程において前記第２のメッセージを送信した後に、該送信先からの開封確認が受信できなかった場合に警報を発する警報工程を有することを特徴とする請求項３記載の光源冷却制御方法。
【請求項６】
さらに、前記通信手段によってサーバから所定情報を取得する情報取得工程を有し、
前記送信工程においては、前記所定情報に基づく宛先へ、前記第１及び第２のメッセージを送信することを特徴とする請求項３記載の光源冷却制御方法。
【請求項７】
前記所定情報に基づく宛先は、前記投射型表示装置のユーザ及び管理者のアドレスであることを特徴とする請求項６記載の光源冷却制御方法。
【請求項８】
前記送信工程においては、前記第１のメッセージを前記ユーザのアドレスへ送信し、前記第２のメッセージを前記ユーザ及び管理者のアドレスへ送信することを特徴とする請求項７記載の光源冷却制御方法。
【請求項９】
前記所定情報は、前記投射型表示装置が設置されている会議室の利用予約に関する情報であることを特徴とする請求項６記載の光源冷却制御方法。
【請求項１０】
さらに、前記投射型表示装置の使用中に、前記所定情報に基づく所定時刻に到達すると、前記光源スイッチ手段により前記光源用の電源をオフとする光源オフ工程を有することを特徴とする請求項６記載の光源冷却制御方法。
【請求項１１】
さらに、前記所定時刻に到達すると、前記投射型表示装置の使用が不可となる旨の警告メッセージを投射する警告投射工程を有し、
前記光源オフ工程においては、前記警告メッセージの投射から所定時間の経過後に前記光源スイッチ手段により前記光源用の電源をオフとすることを特徴とする請求項１０記載の光源冷却制御方法。
【請求項１２】
前記所定情報は、前記投射型表示装置が設置されている会議室の利用予約に関する情報であり、前記所定時刻は、会議室の予約終了時刻であることを特徴とする請求項１０記載の光源冷却制御方法。
【請求項１３】
前記所定時間の経過後に、前記通信手段によって前記サーバからさらなる所定情報を取得し、当該会議の前記予約終了時刻に連続した会議がなければ、前記光源オフ工程を実行することを特徴とする請求項１２記載の光源冷却制御方法。
【請求項１４】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記スイッチ手段による電源オフの指示に応じて前記光源用の電源をオフとする光源スイッチ手段と、
ネットワークを介して電子メールの送受信を行う通信手段と、
を有する投射型表示装置であって、
前記光源近傍の温度を検出する温度検出手段と、を有し、
前記経過時間及び検出温度に応じて、前記通信手段により所定のメッセージを所定の宛先へ送信することを特徴とする投射表示装置。
【請求項１５】
更に前記光源スイッチ手段による光源用の電源オフ後の経過時間を計測する時間計測手段を有し、
前記経過時間及び前記検出温度に応じて、前記通信手段により所定のメッセージを所定の宛先へ送信する送信手段を有することを特徴とする請求項１４に記載の光源冷却制御装置。
【請求項１６】
光源からの光を光変調素子に照射し、その反射または透過光を投射レンズを介して投影することによって表示を行う投射表示手段と、
前記光源を冷却する冷却手段と、
装置全体の電源オフを指示する電源スイッチ手段と、
前記スイッチ手段による電源オフの指示に応じて前記光源用の電源をオフとする光源スイッチ手段と、
ネットワークを介して電子メールの送受信を行う通信手段と、
を有する投射型表示装置における光源冷却を制御するプログラムであって、
コンピュータに読み込まれて実行されることによって、前記投射型表示装置に対して請求項１乃至１３のいずれかに記載の光源冷却制御方法を実現することを特徴とする制御プログラム。
【請求項１７】
請求項１６記載のプログラムを記録したことを特徴とする記録媒体。
【発明の詳細な説明】
【０００１】
【発明の属する技術分野】
本発明は、光源からの光を光変調素子に照射し、その反射または透過光を投射レンズを介して投影することによって表示を行う投射表示装置に関し、特に、光源及びその周辺に対する冷却制御に関する。
【０００２】
【従来の技術】
近年、パーソナルコンピュータ（ＰＣ）の普及に伴い、特に会議等におけるプレゼンテーション装置として投射型表示装置すなわちプロジェクタが使用される機会が増えつつある。プロジェクタはその投射方法によって、スクリーンの前面から投射するフロントプロジェクタや、スクリーンの背面から投射するリアプロジェクタに分類される。
【０００３】
一般にプロジェクタは、光源にてＬＣＤやＤＭＤ等の光変調素子を照射し、光変調素子より透過または反射した光を投射レンズを通して投影することによって画像を形成している。これらの光源としては高圧水銀ランプ等が用いられるが、該ランプの信頼性を確保するために、冷却ファンにて十分な冷却を行いつつ使用する必要がある。また、プロジェクタの電源をオフする際にも、光源を十分に冷却した後に行う必要がある。
【０００４】
そのため、従来のプロジェクタにおける光源冷却用のファン冷却制御方法として、プロジェクタのランプが点灯している期間中は無条件に冷却ファンを動作させる方法や、プロジェクタのランプを消灯した後、一定期間だけ冷却ファンを動作させる方法、またはその組み合わせ等が知られている。なお、発明者は、上記の技術に関する文献を知らない。
【０００５】
【発明が解決しようとする課題】
しかしながら、ランプ及び周辺デバイスの信頼性確保のため、プロジェクタの電源スイッチ（ＳＷ）オフ後にも、ランプ消灯後にランプの温度が低下するまでファンにより冷却する必要があるため、所定時間は電源が切れない。電源ＳＷオフ後の冷却期間としてはおよそ３分から５分程度のものが多い。従って、例えば会議において使用したプロジェクタの電源を会議終了後にオフとする場合、ユーザは安全確認のため、実際に電源が切れるまで上記所定時間は待機せざるをえず、退出することができなかった。
【０００６】
本発明は上述した問題を解決するためになされたものであり、投射型表示装置の使用終了時に、光源冷却に対する安全確認を容易とし、電源オフまでのユーザの待機時間を軽減することを目的とする。
【０００７】
【課題を解決するための手段】
上記目的を達成するための一手法として、本発明は以下の工程を備える。
【０００８】
すなわち、光源からの光を光変調素子に照射し、その反射または透過光を投射レンズを介して投影することによって表示を行う投射表示手段と、前記光源を冷却する冷却手段と、装置全体の電源オフを指示する電源スイッチ手段と、前記スイッチ手段による電源オフの指示に応じて前記光源用の電源をオフとする光源スイッチ手段と、ネットワークを介して電子メールの送受信を行う通信手段と、を有する投射型表示装置における光源冷却制御方法であって、前記光源スイッチ手段による光源用の電源オフ後の経過時間を計測する時間計測工程と、前記光源近傍の温度を検出する温度検出工程と、前記経過時間及び検出温度に応じて、前記通信手段により所定のメッセージを所定の宛先へ送信する送信工程と、を有することを特徴とする。
【０００９】
【発明の実施の形態】
以下、本発明に係る一実施形態について、図面を参照して詳細に説明する。
【００１０】
＜第１実施形態＞
本実施形態においては、会議において使用した投射型表示装置（以下、プロジェクタと称する）の電源を会議終了後にオフとした場合に、ユーザが安全確認のためにその場に待機する必要を軽減したことを特徴とする。
【００１１】
図１は、本実施形態に係る投射型表示装置（以下、プロジェクタと称する）Ｄ１の構成を示す図である。本実施形態では、光変調素子としてＲ，Ｇ，Ｂ各色表示対応の３枚の液晶パネル２Ｒ，２Ｇ，２Ｂを用い、これら３枚の液晶パネル２Ｒ，２Ｇ，２Ｂはクロスプリズム７に対向する位置に配置する。なお、本実施形態では液晶パネル２Ｒ，２Ｇ，２Ｂとして、ＴＦＴを用いて駆動するＴＮ液晶パネルを用いた。また、各液晶パネル２Ｒ，２Ｇ，２Ｂを挟み込むように、その両側には偏光板８をそれぞれ配置し、クロスプリズム７の光出射側には投射レンズ９やスクリーン（被投射部材）６を配置した。
【００１２】
また、ランプ（光源）１を囲むように放物型のリフレクタ１０を配置することによって、ランプ１からの出射光が平行光束に変換される。なお、このリフレクタ１０は放物型に限らず、楕円型として集光光束へ変換するようにしても良い。また、ランプ１としては、メタルハライドランプやキセノンランプなどを用いることができる。
【００１３】
また、ハエの目インテグレータ４０，４１を、ランプ１から出射された光の光路上に配置し、液晶パネル２Ｒ，２Ｇ，２Ｂと共役な関係としたことにより、光源の不均一性が改善される。
【００１４】
ハエの目インテグレータ４０，４１の光出射側には、リレーレンズ１１，ミラー１２を順に配置した。さらに、２枚のダイクロミラー１３，１４を配置して、ランプ１からの出射光を３つに分岐し、リレーレンズ１５やミラー１６，１７，１８を配置して各液晶パネル２Ｒ，２Ｇ，２Ｂに導く。なお、１９はフィールドレンズを示す。
【００１５】
ランプ１には、ランプ用の電源を供給するためのバラスト５７を接続し、ランプ１の近辺に温度センサ１０１および冷却ファン１０２が配置される。
【００１６】
図２は、プロジェクタＤ１における制御部２００の機能構成を示すブロック図である。同図に示されるように、上述した液晶パネル２Ｒ，２Ｇ，２Ｂには映像信号入力部３等が接続され、温度センサ１０１にはＣＰＵ６３が、冷却ファン１０２にはファン制御部１１０が接続される。また、バラスト５７には電源５８及びバラスト制御部１０９が接続される。
【００１７】
映像信号入力部３において、３０はスイッチ、３１はＡ／Ｄコンバータを示す。また、３２はＤＳＰ部、３３は現状の表示データと次のフレームで表示するデータ等を保持するメモリ、３４はタイミング発生回路（ＴＧ）、３５はＤ／Ａコンバータ、３６は各液晶パネルに印加する信号と電源を供給するドライバ回路、をそれぞれ示す。
【００１８】
また、５０はＰＣ入力端子、５１はＮＴＳＣ入力端子を示す。なお、図２においてはアナログ入力信号のみが記載されているが、本発明はそれに限らず、ＬＶＳＤ、ＴＭＤＳ等の入力端子や、デジタルＴＶ用Ｄ３端子等を設けても有効であることは言うまでもない。
【００１９】
また、５２は信号処理回路であり、ＮＴＳＣ信号のデコードやノイズ低減処理、帯域制限フィルタリングおよび信号レベル調節等の信号処理を行う。５３は音声入力端子、５４は音声切換スイッチ、５５は音声処理回路（ＡＭＰ）、５６はスピーカーを示す。また、５７はランプ１に接続されるランプ用の電源であるバラスト、５８はシステム電源、５９はスタンバイ電源、６０はＡＣインレットを示す。６１は本プロジェクタにおける種々の操作を行うためのリモコン、６２はリモコン６１の信号を受信する制御パネルを示す。
【００２０】
また、６３はＣＰＵ、６４はＲＯＭ、６５はＲＡＭを示す。このＣＰＵ６３は、上述した映像信号入力部３、制御パネル６２、バラスト制御部１０９、温度センサ１０１、冷却ファン制御部１１０、電源ＳＷ検出部１０７、タイマ１０４、通信制御部１０５等に接続されており、液晶パネル２Ｒ，２Ｇ，２Ｂやランプ１等の駆動制御や、メールの送受信制御、及び光源の冷却制御等を行う。さらに、１０７は電源ＳＷ検出部、１０８はシステム電源制御部、１０９はバラスト制御部、１１０はファン制御部である。
【００２１】
また、１１１は会議情報記憶部、１１２は電子メールソフト記憶部、１１４はメールソフト制御部、１１５は開封確認要求付加部、１１６はメール送信文記憶部、１１７はメール解読部、１１８はメール受信検出部、１２１は表示制御部、１２２は会議情報取得制御部、１２３は表示メッセージ記憶部である。通信制御部１０５は通信Ｉ／Ｆ１０６を介してＬＡＮ２０１に接続され、会議管理サーバ２０２より後述する会議情報を取得する。
【００２２】
なお、ＤＳＰ部３２では、コントラスト、ブライト調整や解像度変換等の表示画像処理が行われる。
【００２３】
本実施形態においては、タイマ１０４や通信制御部１０５、通信Ｉ／Ｆ１０６、電源ＳＷ検出部１０７、システム電源制御部１０８、バラスト制御部１０９、ファン制御部１１０、会議情報記憶部１１１、電子メールソフト記憶部１１２、メールソフト制御部１１４、開封確認要求付加部１１５、メール送信文記憶部１１６、メール解読部１１７、メール受信検出部１１８、表示制御部１２１、会議情報取得制御部１２２、表示メッセージ記憶部１２３等がＣＰＵ６３に接続されるものとして説明したが、これらをＣＰＵ６３に内蔵したり、プログラムによって実行するように構成してもよい。
【００２４】
以下、図２を参照して本実施形態における動作について説明する。
【００２５】
制御部２００のＡＣインレット６０が不図示のＡＣ電源に接続されている状態では、スタンバイ電源５９より主制御部１２０に電源が供給されている。主制御部１２０は、電源ＳＷ１０３、電源ＳＷ検出部１０７、ＣＰＵ６３、ＲＯＭ６４、ＲＡＭ６５から成り、電源ＳＷ１０３がオフの状態でもスタンバイ電源５９より電源が供給され、動作可能な状態となっている。
【００２６】
ここで、例えば会議の開始時に、プロジェクタＤ１を使用するために電源ＳＷ１０３をオンすると、その旨が電源ＳＷ検出部１０７により検出される。電源ＳＷ１０３のオンが検出されると、システム電源制御部１０８はシステム電源５８をオンさせ、プロジェクタＤ１の制御部２００全体に電源を供給する。また、バラスト制御部１０９はランプ用電源であるバラスト５７をオンとし、ランプ１に電源を供給する。ＣＰＵ６３は、表示制御部１２１により映像信号処理部３に対して各種設定を行い、これにより、ＰＣ入力端子５０やＮＴＳＣ入力端子５１より入力される映像の表示や、音声入力端子５３等から入力される音声の出力がなされる。
【００２７】
本実施形態におけるプロジェクタＤ１は、通信Ｉ／Ｆ１０６を介してＬＡＮ２０１上の会議管理サーバ２０２に接続される。制御部２００内の会議情報取得制御部１２２は、会議管理サーバ２０２より後述する会議情報を取得する。ここで、通信制御部１０５はＴＣＰ／ＩＰ等の通信プロトコルの制御を行い、通信Ｉ／Ｆ１０６は１０Ｂａｓｅ−Ｔ等の通信Ｉ／Ｆを備えるとする。
【００２８】
会議管理サーバ２０２には会議情報として、会議室毎に管理者名が登録されており、例えば会議室を予約する場合、予約者は個々のＰＣ（不図示）より会議管理サーバ２０２へＬＡＮ２０１等を介してアクセスし、予約対象の会議室、使用開始／終了時間、予約者のメールアドレス等を入力する。本実施形態におけるプロジェクタＤ１の電源オフ時の光源冷却制御は、会議管理サーバ２０２に登録された会議情報に基づいて行われる。
【００２９】
ここで図４に、会議管理サーバ２０２に登録された会議情報４００の一例を示す。会議情報４００としては、会議室名４０１、管理者名４０２、管理者のメールアドレス４０３、現在の日付４０４、現在の時刻４０５、予約者名４０６、予約者のメールアドレス４０７、予約日４０８、予約開始時刻４０９、予約終了時刻４１０が記憶されている。これらの会議情報４００が会議管理サーバ２０２に記憶され、各々の会議室の予約管理が行われる。
【００３０】
以下、ある会議にてプロジェクタＤ１が使用される際の、本実施形態における制御について説明する。
【００３１】
まず図５を参照して、本実施形態のプロジェクタＤ１において会議情報４００を取得する動作を説明する。
【００３２】
会議開始時に、電源ＳＷ１０３が押されたことを電源ＳＷ検出部１０７が検出すると（Ｓ５０１）、ＣＰＵ６３は会議情報取得制御部１２２により通信制御部１０５に対して、会議サーバ２０２から会議情報４００を取得するように命令する（Ｓ５０２）。通信制御部１０５は、会議情報取得制御部１２２の命令に従い、会議サーバ２０２より会議情報４００を取得し（Ｓ５０３）、ＣＰＵ６３に接続された会議情報記憶部１１１に会議情報４００を記憶する（Ｓ５０４）。会議情報４００を取得した後は、通信制御部１０５は通信Ｉ／Ｆ１０６を介して会議サーバ２０２に接続された通信を切断する（Ｓ５０５）。
【００３３】
会議情報記憶部１１１に記憶された会議情報４００には、予約者および管理者のメールアドレス４０３，４０７が含まれているが、本実施形態ではこれらのメールアドレスを用いて光源冷却制御を行うことを特徴とする。
【００３４】
なお、ここではプロジェクタＤ１側から会議情報４００を取得する例について説明したが、会議予約サーバがプロジェクタＤ１に対して会議情報４００を送信する様にしてもよい。
【００３５】
以下、本実施形態における電源オフ時の光源冷却制御について、図３のフローチャートを参照して説明する。
【００３６】
上述したようにして会議情報４００を取得した会議において、プロジェクタＤ１の電源オン中には冷却ファン１０２が動作し、これによってランプ１および電源５７周辺の冷却がなされている。
【００３７】
そして例えば会議の終了後に、電源ＳＷ１０３によりプロジェクタＤ１の電源オフが指示された旨を電源ＳＷ検出部１０７にて検出すると（Ｓ３０１）、ＣＰＵ６３はバラスト制御部１０９に対してバラスト５７からランプ１への電源供給の停止を指示し（Ｓ３０２）、ランプ１がオフされる。するとファン制御部１１０は冷却ファン１０２の回転数を上げ、冷却能力を大きくする（Ｓ３０３）。
【００３８】
次に、バラスト５７をオフしてからの経過時間をタイマ１０４にて測定し、５分経過した時点で（Ｓ３０４）、温度センサ１０１によりランプ１の周辺温度が４０℃以下であるか否かを確認する（Ｓ３０５）。４０℃以下であれば（Ｓ３０６）、メールソフト制御部１１４は電子メールソフト記憶部１１２に記憶されたメールソフトを起動し、会議情報記憶部１１１に記憶された予約者のメールアドレスへ、メール送信文記憶部１１６に記憶されている「プロジェクタが正常終了しました」というメッセージを電子メールにて送信し（Ｓ３０７）、メールソフト制御部１１４によってメールソフトを終了させた後、ファン制御部１１０により冷却ファン１０２を停止させる（Ｓ３０８）。そしてシステム電源制御部１０８により、プロジェクタＤ１のシステム電源５８をオフにする（Ｓ３０９）。
【００３９】
一方、ランプ周辺温度が４０℃以下でない場合には（Ｓ３０６）、メールソフト制御部１１４により電子メールソフト記憶部１１２に記憶されたメールソフトを起動した後、会議情報記憶部１１１に記憶されている予約者および管理者のメールアドレスへメール送信文記憶部１１６に記憶されている「プロジェクタが異常終了しました」というメッセージを電子メールにて送信する（Ｓ３１０）。その際、開封確認要求付加部１１５により電子メールに開封確認の要求を付加する。
【００４０】
そして、メールを受信した管理者または予約者より、開封確認の通知が返却され、メール受信検出部１１８によりメールを受信した旨を検知すると、メール解読部１１７により送付されたメールのアドレスが会議情報記憶部１１１に記憶されている管理者または予約者のもであるかを比較し、管理者または予約者のアドレスと同じであれば、開封確認通知を予約者または管理者より受信したと判断する（Ｓ３１１）。そして、ファン制御部１１０により冷却ファン１０２を回転させたままの状態で、予約者または管理者による対処が得られるまで待機する。
【００４１】
ここでタイマー１０４の測定により３０分経過後も開封確認通知が来ない場合には（Ｓ３１１）、アラーム発生部１１９よりＡＭＰ５５に対して指示を行うことによって、スピーカ５６からアラーム音を発生する（Ｓ３１２）。
【００４２】
なお、異常終了の場合（Ｓ３１０以降）は、冷却ファン１０２を停止させ、かつシステム電源５８をオフにしてから、予約者または管理者の対処を待つようにしても良い。
【００４３】
以上説明したように本実施形態によれば、ランプの消灯、電源及びファンの制御、及び電子メールによる通知が最適に制御されるため、プロジェクタＤ１の使用終了後にユーザは会議室にて待機している必要がない。
【００４４】
また、ランプが消灯しない等の異常が発生した場合は、会議室の予約者のみならず、会議室管理者にも通知メールが送信され、さらに、該通知メールが受信されない場合であってもアラームによって警告を発生するため、安全性が保証される。
【００４５】
また、予約者および管理者のメールアドレスを会議管理サーバ２０２より取得するため、会議情報の一元管理が可能となるうえ、メールアドレスを会議の度に登録する必要がないため、会議室の効率的な利用が可能となる。
【００４６】
＜第２実施形態＞
以下、本発明に係る第２実施形態について説明する。第２実施形態におけるプロジェクタの構成及び動作は、上述した第１実施形態と同様であるから、ここでは詳細な説明を省略する。
【００４７】
第２実施形態においては、上述した第１実施形態において会議予約者がプロジェクタＤ１の電源ＳＷ１０３をオフすることを忘れてしまった場合においても、安全なランプの冷却制御を実現することを特徴とする。以下、第２実施形態における光源冷却制御について、図６のフローチャートを参照して説明する。
【００４８】
第１実施形態と同様に、会議開始時にプロジェクタＤ１の電源ＳＷ１０３がオンとされ、システム電源５８が供給されると、通信Ｉ／Ｆ１０６を介して会議予約サーバ２０２に接続し（Ｓ６０１）、会議情報４００を取得して会議情報記憶部１１１に記憶する（Ｓ６０２）。ここで図４に示すように、会議情報４００には予約終了時刻４１０が含まれており、第２実施形態ではこれを用いて光源冷却制御を行うことを特徴とする。
【００４９】
そして、タイマ１０４にて、予約終了時刻４１０の５分前になったことを検出すると（Ｓ６０３）、表示メッセージ記憶部１２３より「あと５分で予約が終了になります。」という旨のメッセージを読み出し、表示制御部１２１により信号処理部３を介してパネル２Ｒ、２Ｇ、２Ｂに表示する。パネル２Ｒ、２Ｇ、２Ｂによる表示メッセージは、投射レンズ９を通してスクリーン６に表示される（Ｓ６０４）。
【００５０】
タイマ１０４により会議の予約終了時刻４１０に到達した旨を確認すると（Ｓ６０５）、表示メッセージ記憶部１２３より「終了時刻になりました。」という旨のメッセージを読み出してスクリーン６に表示すると同時に、会議サーバ２０２より次の会議情報４００を取得し、時間的に連続した会議予約があるか否か確認する（Ｓ６０６）。予約がある場合はそのままプロジェクタ２００の電源５８をオンしておくが（Ｓ６０７）、予約が無い場合は、表示メッセージ記憶部１２３より「５分後にランプを消灯します。」という旨のメッセージを読み出してスクリーン６に表示する（Ｓ６０８）。そして５分が経過すると（Ｓ６０９）、「ランプを消灯します。」という旨のメッセージ表示を行った後、バラスト制御部１０９によりランプ用の電源であるバラスト５７をオフにする（Ｓ６１０）。
【００５１】
その後は、上述した第１実施形態と同様に、ランプ近辺の温度に応じてファンの制御およびシステム電源のオフを行う（図３のＳ３０３へ）。
【００５２】
以上説明したように第２実施形態によれば、会議後にユーザが電源オフを忘れてしまった場合にも、光源の冷却制御を適切に行うことができる。
【００５３】
＜他の実施形態＞
なお、本発明は、複数の機器（例えばホストコンピュータ、インタフェイス機器、リーダ、プリンタなど）から構成されるシステムに適用しても、一つの機器からなる装置（例えば、ファクシミリ装置など）に適用してもよい。
【００５４】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５６】
【発明の効果】
以上説明したように本発明によれば、投射型表示装置の使用終了時に、光源冷却に対する安全確認が容易となるため、電源オフまでのユーザの待機時間が軽減される。
【図面の簡単な説明】
【図１】本発明に係る一実施形態におけるプロジェクタの構成を示す図である。
【図２】本実施形態における制御部２００の機能構成を示すブロック図である。
【図３】本実施形態における電源オフ時の光源冷却制御を示すフローチャートである。
【図４】会議管理サーバに登録される会議管理情報の一例を示す図である。
【図５】本実施形態において会議情報４００を取得する動作を示すフローチャートである。
【図６】第２実施形態におけるプロジェクタの電源制御を示すフローチャートである。
【符号の説明】
１  ランプ（光源）
２Ｒ，２Ｇ，２Ｂ  液晶パネル（光変調素子）
３  映像信号入力手段
５７  バラスト
１０１  温度センサ
１０２  ファン
Ｄ１  プロジェクタ
【図１】
2005049464.tif 000003
【図２】
2005049464.tif 000004
【図３】
2005049464.tif 000005
【図４】
2005049464.tif 000006
【図５】
2005049464.tif 000007
【図６】
2005049464.tif 000008